(57)【要約】【課題】撮影中にも被写体をファインダから認識することができるデジタルカメラにおいて、撮像センサの装着部側表面を掃除できるデジタルカメラを提供すること。【解決手段】撮影レンズ６２を有するレンズ鏡筒６０が着脱自在に装着される装着部２８と、撮影レンズ６２による被写体像を撮像する撮像センサ２２と、被写体像を観察するための光学ファインダ１５と、撮影レンズ６２からの光の一部を光学ファインダ１５へ導くと共に、光Ｌ１のうち光学ファインダ１５へ導かれなかった光Ｌ１を透過させて撮像センサ２２へと導く半透過ミラー１４と、半透過ミラー１４を移動させる駆動手段１４ａと、掃除モードであることを検出した場合に、撮像センサ２２の装着部側表面が掃除できる位置まで半透過ミラー１４を移動させるように駆動手段１４ａを制御する制御手段５０と、を有するデジタルカメラ。【選択図】図１
2009130613.tif 000002
【特許請求の範囲】
【請求項１】
撮影レンズを有するレンズ鏡筒が着脱自在に装着される装着部と、
前記撮影レンズによる被写体像を撮像する撮像センサと、
前記被写体像を観察するための光学ファインダと、
前記撮影レンズからの光の一部を前記光学ファインダへ導くと共に、前記光のうち前記光学ファインダへ導かれなかった光を透過させて前記撮像センサへと導く半透過ミラーと、
前記半透過ミラーを移動させる駆動手段と、
前記撮像センサを掃除するための掃除モードであることを検出した場合に、前記撮像センサの前記装着部側表面を掃除できる位置まで前記半透過ミラーを移動させるように前記駆動手段を制御する制御手段と、
を有することを特徴とするデジタルカメラ。
【請求項２】
前記制御手段は、前記装着部から前記レンズ鏡筒が外されていることを検知したときに、前記撮像センサの前記装着部側表面を掃除できる位置まで前記半透過ミラーを移動させるように前記駆動手段を制御することを特徴とする請求項１に記載のデジタルカメラ。
【請求項３】
前記制御手段は、前記撮像センサへ入射する光の光量が少ないと判断した場合は、前記撮影レンズからの光が前記半透過ミラーを通過することなく前記撮像センサへ導かれる位置まで前記半透過ミラーを移動させるように、前記駆動手段を制御することを特徴とする請求項１または２に記載のデジタルカメラ。
【請求項４】
前記制御手段は、前記装着部から前記レンズ鏡筒が取り付けられていることを検知した場合に、前記撮像レンズからの光が前記半透過ミラーを通過することなく前記撮像センサへ導かれる位置まで前記半透過ミラーを移動させるように、前記駆動手段を制御することを特徴とする請求項３に記載のデジタルカメラ。
【請求項５】
前記半透過ミラーは、ペリクルミラーであることを特徴とする請求項１から４のいずれか１項に記載のデジタルカメラ。
【発明の詳細な説明】
【技術分野】
【０００１】
本発明は、撮影中にも被写体をファインダから認識することができるデジタルカメラに関する。
【背景技術】
【０００２】
撮影中にも被写体をファインダから認識することができる一眼レフカメラとして、クイックリターンミラーの代わりに、半透過ミラーを配置してあるカメラが開発されている（特許文献１参照）。
【０００３】
しかしながら、このようなカメラにおいては、フィルム上に被写体光を撮影する構造を前提としているために、半透過ミラーを固定して配置してある。そのために、この構造をデジタルカメラに応用すると、撮像センサまたはその前面に配置してある光学フィルタなどに異物が付着した場合に、その異物の除去が不可能であった。
【０００４】
デジタルカメラにおいては、撮像センサの受光面、撮像センサ保護用カバーガラスの表面、光学ローパスフィルタの表面など、撮像面から近距離にある光学部品の表面に付着した塵埃は、その付着部分が黒い点となって撮像画像に写り込み、画像品質を低下させ問題となる。
【特許文献１】特開平７−３６０８３号公報
【発明の開示】
【発明が解決しようとする課題】
【０００５】
本発明は、このような実状に鑑みてなされ、その目的は、撮影中にも被写体をファインダから認識することができるデジタルカメラにおいて、撮像センサの装着部側表面を掃除できるデジタルカメラを提供することである。
【課題を解決するための手段】
【０００６】
上記目的を達成するために、本発明に係るデジタルカメラは、
撮影レンズ（６２）を有するレンズ鏡筒（６０）が着脱自在に装着される装着部（２８）と、
前記撮影レンズ（６２）による被写体像を撮像する撮像センサ（２２）と、
前記被写体像を観察するための光学ファインダ（１５）と、
前記撮影レンズ（６２）からの光の一部を前記光学ファインダ（１５）へ導くと共に、前記光のうち前記光学ファインダ（１５）へ導かれなかった光を透過させて前記撮像センサ（２２）へと導く半透過ミラー（１４）と、
前記半透過ミラー（１４）を移動させる駆動手段（１４ａ）と、
前記撮像センサ（２２）を掃除するための掃除モードであることを検出した場合に、前記撮像センサ（２２）の前記装着部（２８）側表面が掃除できる位置まで前記半透過ミラー（１４）を移動させるように前記駆動手段（１４ａ）を制御する制御手段（５０）と、を有する。
【０００７】
本発明に係るデジタルカメラによれば、半透過ミラー（１４）を有するので、撮影中にも被写体をファインダ（１５）から認識することができる。しかも、このデジタルカメラによれば、制御手段（５０）が掃除モードであることを検出した場合に、撮像センサ（２２）の装着部（２８）側表面を掃除できる位置まで半透過ミラー（１４）を移動させるように駆動手段（１４ａ）を制御する。このため、撮影中にも被写体をファインダ（１５）から認識することができるデジタルカメラにおいて、撮像センサ（２２）の装着部（２８）側表面を掃除することが可能になる。
【０００８】
好ましくは、前記制御手段（５０）は、前記装着部（２８）から前記レンズ鏡筒（６０）が外されていることを検知したときに、前記撮像センサ（２２）の前記装着部（２８）側表面を掃除できる位置まで前記半透過ミラー（１４）を移動させるように前記駆動手段（１４ａ）を制御する。
【０００９】
装着部（２８）からレンズ鏡筒（６０）が外されている場合には、掃除可能なモードであると判断することができる。そのような場合には、半透過ミラー（１４）を移動させることで、撮像センサ（２２）の装着部（２８）側表面を掃除することができる。
【００１０】
好ましくは、前記制御手段（５０）は、前記撮像センサ（２２）へ入射する光の光量が少ないと判断した場合は、前記撮影レンズ（６２）からの光が前記半透過ミラー（１４）を通過することなく前記撮像センサ（２２）へ導かれる位置まで前記半透過ミラー（１４）を移動させるように、前記駆動手段（１４ａ）を制御する。
【００１１】
夜間時の撮影や室内での撮影時には、撮影レンズ（６２）へ入射する光の光量が少ないことがある。そのような場合において、撮影レンズ（６２）からの光が半透過ミラー（１４）を通過すると、半透過ミラー（１４）により、さらに光量が減じられて撮像センサ（２２）へと光が入射する。そこで、そのような場合には、撮影レンズ（６２）からの光が半透過ミラー（１４）を通過することなく撮像センサ（２２）へ導かれる位置まで半透過ミラー（１４）を移動させることで、撮像センサ（２２）へと入射する光量を最大限に大きくすることができる。
【００１２】
好ましくは、前記制御手段（５０）は、前記装着部（２８）から前記レンズ鏡筒（６０）が取り付けられていることを検知した場合に、前記撮像レンズからの光が前記半透過ミラー（１４）を通過することなく前記撮像センサ（２２）へ導かれる位置まで前記半透過ミラー（１４）を移動させるように、前記駆動手段（１４ａ）を制御する。
【００１３】
好ましくは、前記半透過ミラー（１４）は、ペリクルミラーである。
【００１４】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００１５】
以下、本発明を、図面に示す実施形態に基づき説明する。
図１は本発明の一実施形態に係デジタルカメラの概略断面図、
図２は塵埃除去ユニットの概略断面図、
図３は図２に示す塵埃除去ユニットをカメラ本体に取り付けた直後の概略図、
図４は清掃状態を示す概略図である。
【００１６】
図１に示すように、本発明の一実施形態に係るデジタルカメラ２は、カメラボディ４と、撮影レンズ６２が内蔵されたレンズ鏡筒６０とを有する。レンズ鏡筒６０は、カメラボディ４のレンズ装着部（以下、レンズマウントという）２８に対して着脱自在に係合するマウント部（以下、ボディマウントという）３８ａを有する。レンズ鏡筒６０がカメラボディ４に装着された状態で、鏡筒６０のケーシング６４に形成してある開口部６６と、カメラボディ４のケーシング５に形成してある開口部７とはシールされて連通される。
【００１７】
カメラボディ４のケーシング５内部には、接眼レンズ８、ペンタプリズム１０、ファインダスクリーン１２などのファインダユニット１５と、撮像ユニット２０を構成する撮像素子２２の前面に配置してある光学ローパスフィルタ２４などで構成される撮像用光学部品とが具備してある。撮像ユニット２０の背面には、回路基板２６が配置してある。回路基板２６には、撮像ユニット２０の撮像素子２２にて受光した画像信号を処理する回路などが組み込まれている。
【００１８】
光学ローパスフィルタ２４の前面には、シャッタ部材１６が装着してある。図１はシャッタ部材１６が閉じた状態を示し、図４では、シャッタ部材１６が開いている。シャッタ部材１６の前面には、半透過ミラー１４が配置してある。
【００１９】
この半透過ミラー１４は、図１に示す状態で、レンズ鏡筒６０の撮影レンズ６２を通して撮像ユニット２０へと向かう光Ｌ１を透過させると共に、その光の一部を、ファインダユニット１５のファインダスクリーン１２へと反射させる。ファインダスクリーン１２へ導かれた光は、次にペンタプリズム１０および接眼レンズ８を通りファインダを覗く人の目に入り、撮影レンズ６２を透過してカメラボディ４の内部に入る被写体光を観察することができる。半透過ミラー１４は、たとえばペリクルミラーで構成してある。
【００２０】
本実施形態では、図１に示すレンズ鏡筒６０の代わりに、図２に示す塵埃除去ユニット６がカメラボディ４に着脱自在に装着される。図２に示すように、カメラボディ４から取り外された状態では、塵埃除去ユニット６の内部には、拭き取り部材３０が折り畳まれた状態で収容してある。折り畳まれた状態の拭き取り部材３０は、ユニット６のケーシング３５の開口部３７から外部に飛び出ないようになっている。
【００２１】
拭き取り部材３０の先端には、ワイパーヘッド３１が装着してある。ワイパーヘッド３１の長手方向長さ（図２において紙面に垂直方向）は、図１に示す光学ローパスフィルタ２４の幅と同程度以上であることが好ましい。ワイパーヘッド３１は、たとえばゴム材、発泡樹脂などで構成してあり、例えば、揮発性の洗浄液が塗布してあっても良い。
【００２２】
拭き取り部材３０の後端は、回動軸３３を介してワイパーガイド３２に連結してある。拭き取り部材３０は、回動軸３３を中心として回動し、図２および図３に示す折り畳み状態と、図４に示す清掃状態との間で回動可能になっている。なお、折り畳み状態では、拭き取り部材３０は、ガイド３２に対して略平行になり、清掃状態では、ガイド３２に対して略垂直方向に起立する。
【００２３】
塵埃除去ユニット６は、図１に示すカメラボディ４のレンズマウント２８に対して着脱自在に係合するボディマウント３８ｂを有する。図３に示すように、塵埃除去ユニット６がカメラボディ４に装着された状態で、ユニット６のケーシング３５に形成してある開口部３７と、カメラボディ４のケーシング５に形成してある開口部７とはシールされて連通される。
【００２４】
図３に示すように、図１に示すレンズ鏡筒６０を外して、塵埃除去ユニット６のボディマウント３８ｂがレンズマウント２８に装着されると、カメラボディ４の内部に装着してある制御回路５０が掃除モードであることを検出する。あるいは、カメラボディ４には、掃除モードであることを制御回路５０に検出させるためのスイッチやボタンなどが装着してあっても良い。
【００２５】
制御回路５０は、半透過ミラー１４を回動移動させるための駆動手段であるアクチュエータを制御可能になっている。また、制御回路５０は、シャッタ部材１６を駆動するためのアクチュエータを制御するようになっている。さらに、制御回路５０は、ボディマウント３８ｂおよびレンズマウント２８の接続部を介して駆動源３６に接続される。
【００２６】
制御回路５０が掃除モードであることを検出した場合には、図４に示すように、撮像センサ２２の前面に配置してある光学ローパスフィルタ２４の表面を掃除できる位置まで半透過ミラー１４を移動させるようにアクチュエータ１４ａを制御する。しかもシャッタ部材１６を開くように制御回路５０がシャッタ部材のアクチュエータに駆動信号を送る。同時に、制御回路５０は、モータなどで構成される駆動源３６に信号を送り、駆動ロッド３４を、その長手方向Ｂに沿って前進させる。
【００２７】
駆動ロッド３４の前進移動は、拭き取り部材３０のワイパーヘッド３１が光学ローパスフィルタ２４の表面に接触する位置で停止するように制御される。ワイパーヘッド３１が、光学ローパスフィルタ２４の表面に接触すると同時、またはその前後のタイミングで、制御回路５０は、振動子４０に対して制御信号を送り、光学ローパスフィルタ２４の表面を振動させる。
【００２８】
光学ローパスフィルタ２４の表面が振動している状態で、制御回路５０は、駆動源３６に制御信号を送り、拭き取り部材３０をガイド３２に沿って矢印Ａ方向に移動させる。その結果、ヘッド３１は、振動しているフィルタ２４の全表面を接触しながら移動し、ワイパー動作方式で、フィルタ２４の表面の振動拭き取り清掃を行う。
【００２９】
ガイド３２に沿う拭き取り部材３０の移動は、１回に限らず、複数回の移動でも良い。フィルタ２４の表面の清掃が終了した後には、制御回路５０は、駆動源３６、振動子４０、シャッタ部材１６および半透過ミラー１４に制御信号を送り、前述した動作と逆の動作を行わせて、図３に示す状態に戻す。
【００３０】
なお、制御回路５０は、回路基板２６に接続してあり、あるいは回路基板２６と一体化してあり、撮像ユニット２０の撮像素子２２にて受光した光の光量条件が入力されるようになっている。図１に示すように、レンズ鏡筒６０のボディマウント３８ａがカメラボディ４のレンズマウント２８に装着してある状態で、撮像素子２２にて受光した光の光量が少ないと判断した場合は、制御回路５０は、以下に示すように、アクチュエータ１４ａを制御する。すなわち、撮影レンズ６２からの光Ｌ１が半透過ミラー１４を通過することなく撮像センサへ導かれる位置（図４参照）まで半透過ミラー１４を回動させる。
【００３１】
本実施形態に係るデジタルカメラ２では、図１に示すように、半透過ミラー１４を有するので、撮影中にも被写体をファインダから認識することができる。しかも、このデジタルカメラ２によれば、制御回路５０が掃除モードであることを検出した場合に、図３および図４に示すように、撮像センサ２２の前面に配置してある光学ローパスフィルタ２４の表面を掃除できる位置まで半透過ミラー１４を移動させる。このため、撮影中にも被写体をファインダから認識することができるデジタルカメラ２において、光学ローパスフィルタ２４の表面を有効に掃除することができる。
【００３２】
また、掃除モードではない図１に示すようにレンズ鏡筒６０がカメラボディに装着された状態において、夜間時の撮影や室内での撮影時には、撮影レンズ６２へ入射する光Ｌ１の光量が少ないことがある。そのような場合において、撮影レンズ６２からの光Ｌ１が半透過ミラー１４を通過すると、半透過ミラー１４により、さらに光量が減じられて撮像センサ２２へと光Ｌ１が入射する。そこで、そのような場合には、撮影レンズ６２からの光Ｌ１が半透過ミラーを通過することなく撮像センサへ導かれる位置まで半透過ミラー１４を移動させる（図４参照）ことで、撮像センサ２２へと入射する光量を最大限に大きくすることができる。
【００３３】
また、本実施形態では、光学ローパスフィルタ２４の表面が振動子４０により振動させられている状態で、拭き取り部材３０のワイパーヘッド３１がフィルタ２４の表面に接触し、表面の拭き取り動作を行う。そのため、清掃が必要とされるフィルタ２４の表面には、振動子４０から発生する振動による加速度とワイパーヘッド３１による拭き取り動作との重畳作用が生じ、強く付着している塵埃などの汚れであっても、容易に除去される。
【００３４】
なお、本発明は、上述した実施形態に限定されるものではなく、本発明の範囲内で種々に改変することができる。
【００３５】
たとえば、上述した実施形態では、図４に示すように、塵埃除去ユニット６のボディマウント３８ｂがレンズマウント２８に装着されることで、制御回路５０が掃除モードであることを検出したが、これに限らず、以下のように制御しても良い。たとえば、制御回路５０は、レンズマウント２８に対してレンズ鏡筒６０のボディマウント３８ａが外されていることを検知したときに、撮像センサ２２のマウント側表面を掃除できる位置まで半透過ミラー１４を移動させるようにアクチュエータ１４ａを制御するようにしても良い。
【００３６】
また、上述した実施形態に使用した塵埃除去ユニット６に限らず、その他の清掃用具を用いて、撮像センサ２２のマウント側表面を掃除しても良い。
【図面の簡単な説明】
【００３７】
【図１】図１は本発明の一実施形態に係デジタルカメラの概略断面図である。
【図２】図２は塵埃除去ユニットの概略断面図である。
【図３】図３は図２に示す塵埃除去ユニットをカメラ本体に取り付けた直後の概略図である。
【図４】図４は清掃状態を示す概略図である。
【符号の説明】
【００３８】
２…  デジタルカメラ
４…  カメラボディ
６…  塵埃除去ユニット
１４…  半透過ミラー
１４ａ…  アクチュエータ
１５…  ファインダユニット
１６…  シャッタ部材
２０…  撮像ユニット
２２…  撮像素子
２４…  光学ローパスフィルタ
２８…  レンズマウント
３０…  拭き取り部材
３１…  ワイパーヘッド
３８ａ，３８ｂ…  ボディマウント
４０…  振動子
５０…  制御回路
６０…  レンズ鏡筒
６２…  撮影レンズ
【図１】
2009130613.tif 000003
【図２】
2009130613.tif 000004
【図３】
2009130613.tif 000005
【図４】
2009130613.tif 000006